(57)【要約】【課題】検索結果として強調表示された文字列が関連語であった場合でも、その元となったキーワードを容易に知ることができる文書検索装置を得る。【解決手段】関連語展開部２は、キーワード入力手段１から入力されたキーワードの関連語を生成し、これを元キーワードと対応付けた対応キー情報として対応キー情報記憶部３に記憶する。検索処理部５は、文書データベース４の文書から関連語展開部２で生成された関連語を検索する。表示制御部６は、文書を表示する場合に、検索処理部５の検索結果に基づいて文書中の関連語の箇所を強調表示すると共に、対応キー情報記憶部３の対応キー情報に基づいて関連語の元キーワードを判別可能な状態で表示する。【選択図】        図１
2004295301.tif 000002
【特許請求の範囲】
【請求項１】
文書から、所定のキーワードに基づいて生成された関連語を検索する検索処理部と、
前記文書を表示する場合に、前記検索処理部の検索結果に基づいて当該文書中の関連語を強調表示すると共に、前記関連語の元キーワードを判別可能な状態で表示する表示制御部とを備えたことを特徴とする文書検索装置。
【請求項２】
請求項１に記載の文書検索装置において、
関連語と元キーワードとの関係を示す対応キー情報を記憶する対応キー情報記憶部と、
前記関連語を強調表示する場合、前記対応キー情報記憶部を参照して当該関連語の元キーワードを求める表示制御部とを備えたことを特徴とする文書検索装置。
【請求項３】
検索対象となる文書中の、所定のキーワードに基づいて生成された関連語となり得る文字列を含む各文字列の位置情報を示す単語情報と、
検索するためのキーワードから関連語を生成する関連語展開部と、
前記単語情報を参照して、前記関連語展開部で生成された関連語の文字列と一致する文字列があった場合は、当該一致した文字列の文書中の位置情報と、前記関連語の元キーワードとを一致情報として記憶する一致情報記憶部と、
前記文書を表示する場合に、前記一致情報に基づいて当該文書中の関連語の位置を強調表示すると共に、前記関連語の元キーワードを判別可能な状態で表示する表示制御部とを備えたことを特徴とする文書検索装置。
【請求項４】
請求項１〜３のいずれかに記載の文書検索装置において、
関連語と元キーワードとを併記することで、当該関連語の元キーワードを判別可能な状態で表示する表示制御部を備えたことを特徴とする文書検索装置。
【請求項５】
請求項１〜３のいずれかに記載の文書検索装置において、
関連語を指示した場合に元キーワードをポップアップ表示することで、当該関連語の元キーワードを判別可能な状態で表示する表示制御部を備えたことを特徴とする文書検索装置。
【請求項６】
請求項１〜３のいずれかに記載の文書検索装置において、
関連語から元キーワードにハイパーリンクを張ったハイパーテキストとすることで、当該関連語の元キーワードを判別可能な状態で表示する表示制御部を備えたことを特徴とする文書検索装置。
【発明の詳細な説明】
【０００１】
【発明の属する技術分野】
本発明は、キーワードと、このキーワードに関係する関連語とに基づいて文書を検索する文書検索装置に関し、特に、関連語の表示に関するものである。
【０００２】
【従来の技術】
従来、任意の文書に対し、複数のキーワードおよび各キーワードの関連語を与えて検索を行い、検索結果として、文書中のキーワードや関連語に一致する部分を強調表示する装置があった（例えば、特許文献１参照）。このような装置では、あるキーワードとその関連語を一つの集合としてキーワード毎に集合を作り、集合毎に異なる強調表示を行うことにより、同じキーワードから派生した部分は文書中のどこであるかが判別可能な強調表示としている。
【０００３】
また、強調表示する場合に、元のキーワードとその類義語では強調表示方法を変えることにより、元のキーワードと類義語とを判別できるようにしたものがあった（例えば、特許文献２参照）。
【０００４】
【特許文献１】
特開平５−２７４３１４号公報
【特許文献２】
特開平８−２５５１６３号公報
【０００５】
【発明が解決しようとする課題】
上記従来の装置による従来技術としては、キーワードやその関連語で検索された文書を表示するとき、同じキーワードから派生した関連語は例えば同じ色で、そしてキーワードは実線で、また、関連語は破線のアンダーラインを付与するといった異なる強調表示を行っていた。
このような表示方法を行えば、ある強調表示された単語について、それが関連語であるのか、キーワードであるのか、また、同じキーワードを元にした関連語であるか等を知ることができる。
【０００６】
しかしながら、ある強調表示された単語が、ユーザが入力したキーワードではない、即ち、関連語である場合において、ユーザが元のキーワードのどれを元にその結果になったのかを知りたい場合がある。この場合、文書全体から同じ色で強調された単語でかつキーワードを示す強調表示された単語を探すといったことを行わないと、その強調表示された関連語がどのキーワードから派生したものかが分からないという問題があった。
【０００７】
このような問題は、文書が長文などの場合、画面をスクロールするなどして探す必要があり非常に効率が悪い。また、文書中に元のキーワードが含まれていない場合は、どのキーワードに基づいているか見つけることができない。しかも、その事実は事前に知ることができないために、ユーザが文書を無駄に探すことにもなる。特に、ユーザが知らない単語などが関連語として出現した場合などでは、このような状態では非常に使いづらいという問題があった。
【０００８】
【課題を解決するための手段】
本発明は、前述の課題を解決するため次の構成を採用する。
〈構成１〉
文書から、所定のキーワードに基づいて生成された関連語を検索する検索処理部と、文書を表示する場合に、検索処理部の検索結果に基づいて文書中の関連語を強調表示すると共に、関連語の元キーワードを判別可能な状態で表示する表示制御部とを備えたことを特徴とする文書検索装置。
【０００９】
〈構成２〉
構成１に記載の文書検索装置において、関連語と元キーワードとの関係を示す対応キー情報を記憶する対応キー情報記憶部と、関連語を強調表示する場合、対応キー情報記憶部を参照して関連語の元キーワードを求める表示制御部とを備えたことを特徴とする文書検索装置。
【００１０】
〈構成３〉
検索対象となる文書中の、所定のキーワードに基づいて生成された関連語となり得る文字列を含む各文字列の位置情報を示す単語情報と、検索するためのキーワードから関連語を生成する関連語展開部と、単語情報を参照して、関連語展開部で生成された関連語の文字列と一致する文字列があった場合は、一致した文字列の文書中の位置情報と、関連語の元キーワードとを一致情報として記憶する一致情報記憶部と、文書を表示する場合に、一致情報に基づいて文書中の関連語の位置を強調表示すると共に、関連語の元キーワードを判別可能な状態で表示する表示制御部とを備えたことを特徴とする文書検索装置。
【００１１】
〈構成４〉
構成１〜３のいずれかに記載の文書検索装置において、関連語と元キーワードとを併記することで、関連語の元キーワードを判別可能な状態で表示する表示制御部を備えたことを特徴とする文書検索装置。
【００１２】
〈構成５〉
構成１〜３のいずれかに記載の文書検索装置において、関連語を指示した場合に元キーワードをポップアップ表示することで、関連語の元キーワードを判別可能な状態で表示する表示制御部を備えたことを特徴とする文書検索装置。
【００１３】
〈構成６〉
構成１〜３のいずれかに記載の文書検索装置において、関連語から元キーワードにハイパーリンクを張ったハイパーテキストとすることで、関連語の元キーワードを判別可能な状態で表示する表示制御部を備えたことを特徴とする文書検索装置。
【００１４】
【発明の実施の形態】
以下、本発明の実施の形態を具体例を用いて詳細に説明する。
《具体例１》
〈構成〉
図１は、本発明の文書検索装置の具体例１を示す構成図である。
図の装置は、例えばコンピュータで構成され、キーワード入力手段１、関連語展開部２、対応キー情報記憶部３、文書データベース４、検索処理部５、表示制御部６、表示部７を備えている。
【００１５】
キーワード入力手段１は、ユーザが文書検索に用いるキーワードを指定するための手段であり、キーボードやマウス等の入力装置からなる。関連語展開部２は、キーワード入力手段１から入力されたキーワードと関係する関連語を生成する機能部であり、具体例では関連語として類義語であるとする。この関連語展開部２は、例えば、ある単語に対する類義語を記憶した類義語データベースを備え、この類義語データベースを検索して、キーワードに該当する単語の類義語を抽出するよう構成されている。また、関連語展開部２は、生成された類義語と元のキーワードとを対応付けて対応キー情報記憶部３に記憶する機能を有している。
【００１６】
対応キー情報記憶部３は、例えばハードディスク装置等の記憶装置あるいは主メモリ上に一時的に形成される一時記憶部からなり、関連語展開部２で得られた類義語と、その類義語の元のキーワードとを対応付けて示す対応キーを記憶する機能を有している。
【００１７】
図２は、対応キー情報記憶部３における対応キー情報の説明図である。
図示のように、類義語と元キーワードのとが対となって対応キー情報を構成している。
【００１８】
文書データベース４は、検索対象となる文書を格納するハードディスク装置等からなる記憶部、あるいは外部装置から文書を取り込むためのネットワークのインタフェース等である。検索処理部５は、キーワード入力手段１から入力されたキーワードと、関連語展開部２で生成された類義語を用いて、文書データベース４中の対象文書からこれらキーワードおよび類義語を検索する機能部である。尚、この検索機能は、一般的な文書検索の手法を用いて実現されている。
【００１９】
表示制御部６は、文書データベース４中の対象文書を表示する場合に、その対象文書中のキーワードと類義語の箇所を強調表示すると共に、対応キー情報記憶部３の対応キーに基づいて、類義語の元キーワードを判別可能な状態で表示部７に表示させる機能部である。この表示制御部６は、単語抽出処理部６１、対応キー検索処理部６２、強調処理部６３を備えている。
【００２０】
単語抽出処理部６１は、検索処理部５で得られた文書から、キーワード入力手段１で入力されたキーワードおよび関連語展開部２で生成された類義語と一致する文字列をその文字位置と共に抽出する機能部である。対応キー検索処理部６２は、単語抽出処理部６１で得られた文字列について、対応キー情報記憶部３を検索し、対応した元キーワードを取得する機能部である。また、抽出された文字列がキーワードそのものであった場合は、対応キー情報記憶部３に対応キー情報として記録されていないことで判定することができる。強調処理部６３は、検索処理部５で得られた文書に対し、単語抽出処理部６１で抽出された文字列部分について強調表示を行うよう修正を加える。この時、対応キー検索処理部６２により対応したキーワードが検索された文字列に関しては、そのキーワードが分かるよう強調表示させる機能部である。
【００２１】
この元キーワードが判別可能な状態で表示する構成としては、例えば、類義語の文字列の横に、「（）」内に、その類義語の元となったキーワードを入れて文書中に挿入する等のものがある。また、強調表示の構成としては、例えば文書がＨＴＭＬで記述されているのであれば、特開２００２−７３６８５「検索結果提供方法・検索結果提供装置」等に記載されているような、表示形態を変更するＨＴＭＬタグを、抽出された類義語の文字列および併記するように挿入した元キーワードの前後に挿入するなどの方法を用いて実現可能である。
【００２２】
尚、上記の関連語展開部２、検索処理部５および表示制御部６は、それぞれの構成に対応したソフトウェアと、これらのソフトウェアを実行するためのＣＰＵやメモリ等のハードウェアから実現されているものである。
【００２３】
表示部７は、ディスプレイ等からなり、キーワード入力手段１への入力内容を表示したり、検索結果を表示したりするための表示装置である。
【００２４】
〈動作〉
図３は、具体例１の動作を示すフローチャートである。
先ず、ユーザがキーワード入力手段１を用いて、キーワードとして「キンセンカ」「マリーゴールド」を入力したとする（ステップＳ１）。
【００２５】
次に、関連語展開部２は、キーワード入力手段１で入力されたキーワード「キンセンカ」「マリーゴールド」に対して、それぞれの類義語を生成する（ステップＳ２）。この処理としては、類義語の辞書等を備え、この辞書を検索するといった一般的な手法で行うものである。この結果、先ずキーワード「キンセンカ」については、類義語「金盞花」「カレンデュラ」「唐金盞」が得られたとする。関連語展開部２は、これらの類義語を元キーワードである「キンセンカ」に対応付けて対応キー情報記憶部３に記憶する（ステップＳ３）。また、「マリーゴールド」に対しても、類義語「タゲテス」が得られたとすると、この「タゲテス」に元キーワードである「マリーゴールド」を対応付けて対応キー情報記憶部３に記憶する。この状態が図３に示す対応キー情報である。
【００２６】
検索処理部５では、キーワード入力手段１により入力されたキーワード「キンセンカ」「マリーゴールド」および関連語展開部２より得られた類義語「金盞花」「カレンデュラ」「唐金盞」「タゲテス」を用いて、文書データベース４からそれらの単語を含む文書を検索する（ステップＳ４）。尚、この検索処理は既知の文書検索の手法を用いて行うものである。その結果、文書として次のようなものが抽出されたとする。
【００２７】
図４は、文書データベース４から抽出された文書の一例を示す説明図である。
図示のように、キーワード、類義語である「カレンデュラ」「マリーゴールド」「タゲテス」が含まれている文書が抽出される。
【００２８】
尚、図２のフローチャートでは、関連語展開部２による類義語生成および類義語記憶処理（ステップＳ２〜ステップＳ３）の後、検索処理部５による検索処理（ステップＳ４）を行っているが、これらの処理は逆に行ってもよく、また、並行処理であってもよい。
【００２９】
次に、表示制御部６では表示制御処理を行う（ステップＳ５）。この表示制御処理では、先ず、単語抽出処理部６１が、検索処理部５で検索された文書から、キーワード入力手段１から入力されたキーワード「キンセンカ」「マリーゴールド」と、関連語展開部２より得られた類義語「金盞花」「カレンデュラ」「唐金盞」「タゲテス」の文字列を検出する。この結果、図３中の文書中の位置Ｗ１１、Ｗ１２に「カレンデュラ」、Ｗ１３、Ｗ１４に「マリーゴールド」、Ｗ１５に「タゲテス」が検出される。
【００３０】
次に、対応キー検索処理部６２により、単語抽出処理部６１で得られた「カレンデュラ」「マリーゴールド」「タゲテス」について、対応キー情報記憶部３から元キーワードを検索する。この結果、「カレンデュラ」については元キーワードとして「キンセンカ」が得られる。同様に「タゲテス」に対しては、「マリーゴールド」が得られる。Ｗ１３、Ｗ１４の「マリーゴールド」についてはキーワードそのものであるため、図３に示した記憶内容には類義語としては登録されていない。
【００３１】
次に、強調処理部６３は、図４の文書について単語抽出処理部６１で得られた文書中の位置Ｗ１１、Ｗ１２、Ｗ１３、Ｗ１４、Ｗ１５について、類義語については元キーワードが判別可能な状態で強調表示を行う。例えば、Ｗ１１、Ｗ１２の「カレンデュラ」については、対応キー検索処理部６２の処理により元キーワードとして「キンセンカ」が得られているので、「キンセンカ」を「（）」で挟み併記した「カレンデュラ（キンセンカ）」という文字列と置き換えたうえで強調表示制御を行い、これが表示部７で表示される（ステップＳ６）。
【００３２】
図５は、表示例の説明図である。
例えば、図４におけるＷ１１の部分であれば、図５のＤ１１に示すように強調表示される。尚、ここでは強調表示として該当部分にアンダーラインを付与した例を示している。同様に、図４のＷ１５の「タゲテス」についても、図５のＤ１３のように表示される。また、図４のＷ１３、Ｗ１４の「マリーゴールド」については、対応キー検索処理部６２の処理で結果が得られない、即ち、元キーワードであるため、そのまま強調表示し、図５中では、Ｄ１２に示すように従来の検索処理時の強調表示と同様の表示となる。
【００３３】
〈効果〉
以上のように、具体例１によれば、文書を表示する場合に、キーワードの関連語の箇所を強調表示すると共に、関連語の元キーワードを判別可能な状態で表示するようにしたので次のような効果がある。即ち、ユーザは強調された単語が類義語である場合、元のキーワードが文書中のたとえ離れた位置にあっても、また、ユーザの知らない単語であっても、迅速にユーザ自身が入力したどのキーワードに対する強調表示であるかを判断することができる。これにより、検索結果への自分が入力したキーワードの影響を容易に知ることができ、検索条件を変えて他の視点の検索を行おうとする場合に、どのようなキーワードを入れるべきかといった判断をし易くなるなど利便性の向上に寄与することができる。
【００３４】
また、具体例１によれば、関連語と元キーワード（ユーザが入力したキーワード）との関係を示す対応キー情報を記憶し、この対応キー情報に基づいて関連語の元キーワードを求めるようにしたので、元のキーワードが文書中に存在しない場合でも、その関連語がどのキーワードに基づくものかを知ることができるという効果がある。
【００３５】
《具体例２》
具体例２は、検索対象となる文書と共に、各文書中の単語の位置を示す単語情報を備え、この単語情報を用いて表示制御を行うようにしたものである。
【００３６】
〈構成〉
図６は、具体例２の構成図である。
図示の装置は、キーワード入力手段１、関連語展開部２ａ、文書データベース４ａ、表示制御部６ａ、表示部７、単語抽出部８、一致情報記憶部９、キーワード検索部１０、関連語検索部１１、文書検索部１２からなる。
【００３７】
キーワード入力手段１は、具体例１と同様の機能を有している。関連語展開部２ａは、基本的な機能は具体例１と同様にキーワードの類義語を生成するものであるが、具体例２では、その出力を関連語検索部１１に送るように構成されている。文書データベース４ａは、具体例１と同様に文書を格納するデータベースであるが、具体例２では、単語情報４１を備えている。
【００３８】
図７は、単語情報の一例を示す説明図である。
図示のように、単語情報４１は、その文書中の検索キーワード（キーワード自体やその関連語）となり得る単語およびその文書中での位置を示す情報である。
【００３９】
単語抽出部８は、文書データベース４ａに文書を登録する時に、その文書から検索のキーワードとなる単語を抽出し、その文書中での位置（例えば、文書の先頭からの文字数など）を示す情報を単語情報４１として、その文書と対応付けて文書データベース４ａに登録する機能部である。単語の抽出は、形態素解析を行って名詞等のキーワードになる得る単語を選択するなど、既存の自然言語技術により実現することができる。
【００４０】
一致情報記憶部９は、ハードディスク装置あるは主メモリ上に一時的に形成される一時記憶部からなり、キーワード検索部１０、関連語検索部１１により得られる文書データベース４ａ中の単語情報４１を、その単語情報４１と対応した文書を示す識別子と共に記憶し、また単語情報４１が関連語検索部１１により得られた場合は、更に、キーワード入力手段１より入力されたキーワードを元キーワードとして記憶する記憶部である。
【００４１】
図８は、一致情報記憶部９における一致情報の一例を示す説明図である。
図示のように、文書識別子と単語とその単語の文書中の位置と元キーワードとの関係が示されている。
【００４２】
キーワード検索部１０は、キーワード入力手段１より得られるキーワードと一致する文字列を、文書データベース４ａの各文書の単語情報４１に記憶された単語である文字列より検索し、それを対応した文書を示す識別子と共に一致情報記憶部９に記憶する機能部である。
【００４３】
関連語検索部１１は、関連語展開部２ａで得られた類義語と一致する文字列を、文書データベース４ａの各文書の単語情報４１に記憶された単語である文字列より検索し、それを対応した文書を示す識別子と、その類義語の元となったキーワードと共に一致情報記憶部９に記憶する機能部である。
【００４４】
文書検索部１２は、一致情報記憶部９に記憶された各文書の識別子毎の一致した単語の数などに基づき、検索結果となる文書を選択し、その文書を文書データベース４ａより検索結果として引き出し、これを表示制御部６ａに出力する機能部である。
【００４５】
表示制御部６ａは、文書検索部１２により検索結果として得られた文書を表示する時に、その文書の識別子に対応して一致情報記憶部９に記憶された単語情報を元に強調表示制御を行い、これを表示部７に出力する機能部である。この強調表示とは、表示しようとする文書の文書識別子について一致情報記憶部９に記憶されている位置の文字列に対して行われ、また、その一致情報記憶部９の一致情報に元キーワードが含まれる場合は、その元キーワードを「（）」で挟み併記するなどの方法で明示を行うよう構成されている。尚、表示部７は具体例１と同様の構成である。
【００４６】
尚、上記の関連語展開部２ａ、表示制御部６ａ、単語抽出部８、キーワード検索部１０、関連語検索部１１および文書検索部１２は、それぞれの構成に対応したソフトウェアと、これらのソフトウェアを実行するためのＣＰＵやメモリ等のハードウェアから実現されているものである。
【００４７】
〈動作〉
先ず、文書データベース４ａへの登録動作を説明する。
図９は、文書の一例を示す説明図である。
図９に示すような文書を文書データベース４ａに投入する時、単語抽出部８は、キーワードとなる得る単語として、ここでは名称とその文書中の位置を形態素解析などの技術を用いて取り出す（ここでは、説明を簡略化するため名称のみとしたが、名詞一般を抽出するといった取出方法を用いてもよい）。この結果、図９中に、Ｗ２１、Ｗ２２、Ｗ２３、Ｗ２４、Ｗ２５、Ｗ２６、Ｗ２７の位置に対象となる文字列が抽出される（図中、破線枠で示す）。単語抽出部８は、これらの情報を図９の文書と対応付けて単語情報４１として文書データベース４ａに保存する。これが図７に示す状態である。尚、単語の位置は説明の都合上図９で示した記号で表しているが、文書先頭からの文字数など一般的な表現を用いても良い。
【００４８】
次に、このような文書やその単語情報４１が登録された状態における強調表示動作について説明する。
図１０は、具体例２の強調表示動作を示すフローチャートである。
具体例２においても、具体例１と同様に、ユーザがキーワード入力手段１を用いて、キーワードとして「キンセンカ」「マリーゴールド」を入力したとする（ステップＳ１１）。
【００４９】
キーワード検索部１０は、文書データベース４ａの各文書について、その単語情報４１から、キーワード「キンセンカ」「マリーゴールド」と一致する単語を検索する（ステップＳ１２）。この結果、図９の文書に対する単語情報４１からは図７のＫ２１がキーワード「マリーゴールド」と一致するものとして得られる。そして、これを図９の文書の識別子（説明上、これを「図９」とする）と共に一致情報として一致情報記憶部９に記憶する（ステップＳ１３）。
【００５０】
一方、関連語展開部２ａにより、キーワード「キンセンカ」に対しては類義語として「金盞花」「カレンデュラ」「唐金盞」を得たとする（ステップＳ１４）。これにより関連語検索部１１では、関連語展開部２ａで得られた「金盞花」「カレンデュラ」「唐金盞」のいずれかと一致する単語を、文書データベース４ａの単語情報４１から検索する（ステップＳ１５）。その結果、図９の文書に対する単語情報４１からは、図７のＳ２１、Ｓ２２に示した単語がキーワード「キンセンカ」の類義語「カレンデュラ」と一致するものとして得られ、これを一致情報記憶部９に記憶する（ステップＳ１６）。この時、元のキーワードとして、「キンセンカ」も記憶する。
【００５１】
また、キーワード「マリーゴールド」についても同様に、関連語展開部２ａで「タゲテス」を得（ステップＳ１４）、図７に示したような単語情報４１からはＳ２３に示す単語「タゲテス」を得（ステップＳ１５）、元のキーワード「マリーゴールド」と共に一致情報記憶部９に記憶する（ステップＳ１６）。
【００５２】
尚、図１０のフローチャートでは、キーワード検索部１０による検索処理（ステップＳ１２〜ステップＳ１３）の後、関連語展開部２ａと関連語検索部１１による類義語生成処理および検索処理（ステップＳ１４〜ステップＳ１６）を行っているが、これらの処理は逆であってもよく、また、並行処理であってもよい。
【００５３】
以上のような処理を行った結果、一致情報記憶部９の一致情報の図９の文書に対する部分は図８に示すようになる。
【００５４】
文書検索部１２は、検索結果として図９の文書を表示する時に、図９に関する一致情報、即ち、図８に例示した内容を参照して強調表示制御を行う（ステップＳ１７）。例えば、図８のＳ２１ａの情報からは、先ず位置Ｗ２３を得て図９中のＷ２３で示した部分を強調することを示す情報を得る。また、元キーワードに「キンセンカ」と記憶されているため、これを併記した形で強調表示制御を行い、これを表示部７で表示する（ステップＳ１８）。
【００５５】
図１１は、具体例２の強調表示の説明図である。
図１１中のＷ２３ａに示すように、元キーワードを併記した状態で強調表示される。また、図８のＫ２１ａの情報については、図９のＷ２６の位置の強調表示を行うが、元キーワードが記憶されていないため、元キーワードの併記は行わずに強調表示を行う（図１１中、Ｗ２６ａに示す状態）。更に、図８に例示した他の一致情報についても同様の強調表示を行い、図１１のような表示を行う。
【００５６】
〈効果〉
以上説明したように、具体例２によれば、文書を文書データベース４ａに格納する時に、その文書における単語の位置を示す単語情報４１を設け、この単語情報４１を用いて、元キーワードが判別可能な状態で類義語の箇所を強調表示するようにしたので、ユーザにとっての利便性が向上すると共に、文書データベース４ａへの文書の登録時に検索の効率化のためのインデックス作成の目的などで事前に単語の抽出が行われている場合に、その情報を再利用しながら強調表示箇所および元キーワードを特定することが可能となる。
【００５７】
《利用形態》
●上記各具体例では、類義語の元キーワードを判別可能な状態で表示する方法として、元キーワードを「（）」で挟んで併記するようにしたが、これ以外にも次のような方法を用いることができる。
（１）類義語を強調表示する場合、その強調表示箇所にカーソルあるいはポインタを移動した場合、即ち、その箇所を何らかの形で指示した場合に、元キーワードをポップアップ表示するよう構成する。尚、この構成は既知のポップアップ表示を行う手段を用いて実現可能である。
（２）類義語を強調表示する場合、その強調表示箇所から元キーワードにハイパーリンクを張ったハイパーテキストとして表示する。これにより、ユーザが類義語の元キーワードを知りたい場合は、その強調表示箇所をクリックするといった操作により元キーワードが表示されることになる。
【００５８】
●上記各具体例では関連語として類義語の場合を説明したが、類義語以外にもキーワードに関係する語句であればどのような関連語であっても適用可能である。
【００５９】
●上記各具体例では、強調表示の方法としてディスプレイ表示である場合を説明したが、関連語と元キーワードとを併記する構成であれば、これ以外にも、例えば印刷出力であっても同様に適用可能である。
●上記各具体例では、強調表示の構成として関連語と元キーワードの箇所あるいはキーワードの箇所に対してアンダーラインを付与したが、これ以外も表示色を変える等、どのようなものであってもよい。
【００６０】
【発明の効果】
以上のように、本発明によれば、文書中の関連語を強調表示する場合に、その元キーワードを判別可能な状態で表示するようにしたので、ユーザが複数のキーワードを指定した場合でも、その関連語がどのキーワードによるものかを容易に知ることができる。これは、対象となる文書が長文の場合や、文書中に元になるキーワードが含まれていない場合等では特に有効である。
【図面の簡単な説明】
【図１】本発明の文書検索装置の具体例１を示す構成図である。
【図２】対応キー情報の説明図である。
【図３】具体例１の動作を示すフローチャートである。
【図４】具体例１の文書の一例を示す説明図である。
【図５】具体例１の表示例の説明図である。
【図６】具体例２の構成図である。
【図７】単語情報の一例を示す説明図である。
【図８】一致情報の一例を示す説明図である。
【図９】具体例２の文書の一例を示す説明図である。
【図１０】具体例２の強調表示動作を示すフローチャートである。
【図１１】具体例２の強調表示の説明図である。
【符号の説明】
２、２ａ  関連語展開部
３  対応キー情報記憶部
４  文書データベース
５  検索処理部
６、６ａ  表示制御部
７  表示部
９  一致情報記憶部
１０  キーワード検索部
１１  関連語検索部
【図１】
2004295301.tif 000003
【図２】
2004295301.tif 000004
【図３】
2004295301.tif 000005
【図４】
2004295301.tif 000006
【図５】
2004295301.tif 000007
【図６】
2004295301.tif 000008
【図７】
2004295301.tif 000009
【図８】
2004295301.tif 000010
【図９】
2004295301.tif 000011
【図１０】
2004295301.tif 000012
【図１１】
2004295301.tif 000013